(57)【要約】【課題】確実にロープを定点で固定して滑り止めと位置決め効果を形成し、自動車カバーやボートカバーに組み合わせ、ロープを緊張した状態に保ち、強風によりカバーが落ちるのを防ぐ実用的機能を備えた、バックル式ロープ緊張装置の提供。【解決手段】座体及び蓋体から成る緊張装置本体を備え、この緊張装置内にロープを単一方向のみに滑動させる単一方向制動機構を設け、この単一方向制動機構が２つのローラー、回転盤、回転ホイール、ネジ受から構成され、前記ネジ受がバネに連動されて回転されると弾性的に位置を回復でき、且つ、回転盤の単一方向ラチェットに当接され、ロープの単一方向への滑動と固定機能を形成すると共に、前記緊張装置本体にバックル挿入部を設け、この構成により前記ロープを前記緊張装置に穿入し、前記単一方向制動機構に掛け回して用い、前記バックル挿入部を利用して使用時に迅速に組み合わせる部材と相互に嵌合できることを特徴とする。【選択図】図２
2007314243.tif 000002
【特許請求の範囲】
【請求項１】
座体及び蓋体により本体が構成され、前記本体内部に単一方向制動機構を設置しロープを単一方向に滑動させるロープ緊張装置であって、前記ロープが前記緊張装置に穿入され、単一方向に前記ロープを滑動させる前記単一方向制動機構に掛け回され、前記本体の前端部にバックル挿入部が設置され、使用時に迅速に組み合わせる部材と相互に嵌合できることを特徴とする、バックル式ロープ緊張装置。
【請求項２】
前記本体前端部に設置する前記バックル挿入部をバックル挿入槽で代替した、請求項１に記載のバックル式ロープ緊張装置。
【請求項３】
主に座体及び蓋体から本体が構成され、前記本体内部に設置される前記単一方向制動機構が２つのローラー、回転盤、回転ホイール、ネジ受を設けて成り、そのうち、該座体の後端部に出入口を設け、前記出入口の両側にそれぞれネジ孔が設けられ、前記ローラーが前記出入口両側に枢設され、さらに前記座体内部中央に陥没部を設け、前記陥没部中央に槽孔を形成し、前記槽孔に中心軸棒を嵌入して位置決めし、さらに前記座体の前端部に突出片を設け、前記突出片の根元の両側にそれぞれ挿入孔を開設し、前記蓋体後端部に出入口を設け、前記出入口周縁部にネジ孔を開設し、前記蓋体内部中央に陥没部を形成し、該陥没部中央に槽孔を設け、さらに該蓋体上に穿通孔を開設し、蓋体前端部に槽孔を設けると共に、前記回転盤は中央に通孔を備え、前記通孔の傍に位置決め孔を設け、且つ、前記通孔の周縁部に放射状の突出部を設置し、前記回転ホイールは上面に中空部を備え、前記中空部の周縁部に単方向ラチェットを設置し、底面に穿通孔を備えた中心柱体及び放射状の突出部を設置し、前記中心柱体の根元付近に段状部を設け、前記ネジ受は両側に爪部及びバネ固定部をそれぞれ備え、且つ、前記ネジ受上端部にネジ孔を開設し、前記バネ固定部に孔を設け、バネの一端を前記孔に穿置し、他端を前記蓋体の位置決め柱体上に固定すると共に、前記爪部は前記回転ホイールの前記単方向ラチェット上に当接し、前記ネジ受上端部の外面に嵌合平面を形成し、前記ネジ受に回転つまみが連結され、前記回転つまみによる制御を受けて前記ネジ受が回転し、前記蓋体を前記座体上に閉じ合わせ、ネジを下から上に穿通して前記蓋体及び前記座体を一体とし、前記ロープを前記緊張装置底部の出入口の片側から穿入し、前記回転盤及び回転ホイールに掛け回した後、前記出入口の他方の側から穿出することを特徴とする、請求項１に記載のバックル式ロープ緊張装置。  
【請求項４】
前記ネジ受が、前記蓋体の穿通孔から外部に向かって穿出され、ネジを前記回転つまみに穿通して螺合し、前記ネジ受と前記回転つまみが連結されると共に、前記ネジ受の上端部外面に嵌合平面を形成し、前記嵌合平面に前記回転つまみが嵌置される、請求項３に記載のバックル式ロープ緊張装置。
【請求項５】
前記蓋体の前端部にバックル挿入部を設けた、請求項３に記載のバックル式ロープ緊張装置。
【請求項６】
前記蓋体の前端部にバックル挿入槽を設けた、請求項３に記載のバックル式ロープ緊張装置。
【請求項７】
主に座体及び蓋体から本体が構成され、前記本体内部に設置される前記単一方向制動機構がローラーと軸座部を含んで成り、そのうち、
前記座体内に第一陥没部及び第二陥没部が設けられ、前記第一陥没部に槽孔が形成され、前記第二陥没部に位置決め孔が開設され、前記座体の下端部に前記第二陥没部に通じるロープ入口溝部及びロープ出口溝部が設けられ、前記座体の前端部にバックル挿入部が設置されると共に、前記蓋体は内部に第一陥没部及び第二陥没部が設けられ、前記第一陥没部に槽孔が形成され、前記第二陥没部に通孔が開設され、前記通孔には前記蓋体上面に突出した管体が設置され、前記管体のそばにフック部が設置され、前記蓋体の下端部に前記第二陥没部に通じるロープ入口溝部及びロープ出口溝部が設けられ、前記蓋体の前端部に突出片が設置され、前記ローラーは中央に中心孔が設けられ、前記中心孔内に中心軸棒が穿置され、前記中心軸棒が前記座体と蓋体それぞれの第一陥没部の槽孔の間に位置決めされると共に、前記軸座部は側縁部に少なくとも１つの押さえ板が設置され、かつ、上端部にネジ孔が開設され、前記軸座部の上端部が前記蓋体の通孔の管体から外部に向かって穿出され、ネジを前記回転つまみに穿通した後前記軸座部上端部のネジ孔に螺合して前記軸座部と回転つまみが結合され、前記回転つまみ内部の中心及び側縁部にそれぞれ軸孔及び嵌入槽が設けられ、バネが前記回転つまみ内部に設置され、かつ、前記バネの一端が前記嵌入槽に固定され、ネジを前記回転つまみに穿通し前記軸座部上端部に螺合して固定し、前記蓋体を前記座体上に閉じ合わせ、ネジを前記蓋体及び座体に螺合して一体となった殼体を形成し、ロープを緊張装置下端部の入口から穿入させて前記軸座部の押さえ板を通過させ前記ローラーに掛け回し、さらに前記軸座部の他方の側の押さえ板を通過して出口から穿出させることを特徴とする、請求項１に記載のバックル式ロープ緊張装置。  
【請求項８】
前記座体の前端部にバックル挿入槽を設けた、請求項７に記載のバックル式ロープ緊張装置。
【発明の詳細な説明】
【技術分野】
【０００１】
本発明は、ボートカバーのバックル式ロープ緊張装置の設計に関し、ボートのカバーに連結して使用すると強風に吹かれてもカバーが外れてしまうことがなく、且つ、緊張装置内に設けたローラーがロープの滑動を円滑にし、袋や類似の物品の開口部をきつく保つのに適しており、自動車カバー、ボートカバーまたは水上バイクカバー等に応用することができる、バックル式ロープ緊張装置に関する。
【背景技術】
【０００２】
日用品やオートバイ、自動車、ボート、水上バイク等の乗り物は、長い間使用せず置いておく場合、防塵布やカバーなどで覆う必要があることがよくあり、そうすることで埃を防いだり、屋外で太陽に晒されて日焼けしてしまい、製品の殼体に亀裂が入ったり、破損したりすることを防ぐことができる。乗り物についていえば、自動車に使用する付属品としての自動車防塵カバーや、ボート上に使用するボートカバーなどがあるが、これらは埃や犬、猫等の小動物が入り込んだりするのを防ぎ、乗り物をきれいに保つことができる。オートバイや水上バイクも特定の形状のカバーがあり、使用しないときには被せておくことができる。
【０００３】
防塵カバーは一般的にオートバイや自動車、ボートの外側に被せて使用されるが、戸外では強風に吹かれてカバーが滑落してしまいやすいため、きつく縛る効果のある固定具が必要となる。
【０００４】
このようなロープの単一方向の滑動を防止する緊張装置の固定端はほとんどがロープを結び掛止して固定する方式を採用しており、使用においては自由端のみ緩めることができるため、固定端に対しその固定作用の解除を迅速且つ便利に行うことができず、使用上の操作方法が制限される。
【０００５】
上述の問題に鑑みて、本発明のロープ緊張装置は、自動車カバーやボートカバーが強風に吹かれて落ちないようにでき、自動車カバー、ボートカバーに用いるロープ緊張装置を提供し、消費者に使用してもらうことを研究開発の動機としている。
【発明の開示】
【発明が解決しようとする課題】
【０００６】
本発明の主な目的は、確実にロープを定点で固定して滑り止めと位置決め効果を形成し、自動車カバーやボートカバーに組み合わせ、ロープを緊張した状態に保ち、強風によりカバーが落ちるのを防ぐ実用的機能を備えた、バックル式ロープ緊張装置を提供することにある。
【０００７】
本発明の別の目的は、緊張装置前端部にバックル挿入部またはバックル挿入槽を結合し、迅速に組み合わせる部材上に設けたバックル挿入部またはバックル挿入槽と相互に嵌合することができる、バックル式ロープ緊張装置を提供することにある。
【課題を解決するための手段】
【０００８】
上述の目的を達するため、本発明のロープ緊張装置の構造は、主に、座体及び蓋体から成る緊張装置本体を備え、この緊張装置内に単一方向制動機構を設け、ロープが単一方向のみに滑動するようにし、前記単一方向制動機構が２つのローラー、回転盤、回転ホイール、ネジ受から構成され、前記ネジ受の二側面上に爪部とバネ固定部を設け、バネ固定部はバネに連動されてネジ受が回転された後弾性的に位置を回復させ、爪部は回転盤の単一方向ラチェットに当接し、ネジ受と蓋体外の回転つまみを連結し、回転つまみによりラチェットの回転を制御し、ロープの単一方向への移動と滑り止め固定機能を形成する。前記単一方向制動機構はその座体及び蓋体により包み込まれる内部にはローラー及び軸座部を設置し、前記軸座部側縁部に押さえ板を設置し、且つ、前記蓋体外の前記回転つまみを連結しその回転を制御し、前記回転つまみにバネを連結し前記軸座部が回転された後弾性的に位置を回復させるようにしてもよく、さらに、前記緊張装置本体にはバックル挿入部またはバックル挿入槽を設けることもでき、これにより使用時に迅速に組み合わせる部材と相互に嵌合させることができる。        
【発明を実施するための最良の形態】
【０００９】
本発明のその他特徴及び具体的な実施例について、以下、図面に基づき詳細に説明する。
【実施例１】
【００１０】
図１から図３に示すように、本発明の実施例１の緊張装置１は、主に座体１０、蓋体２０、回転盤３０、回転ホイール３５、ネジ受４０を含む。前記緊張装置１は前端部に設有バックル挿入部２３を備え、ベルト６１上に設けられたバックル挿入槽２４内に対応して挿入することができる。そのうち、座体１０の後端部にロープの出入口１１を設け、この出入口１１の両側にネジ孔１８をそれぞれ設け、ネジ１９を下から上に穿設することができ、且つ、各ネジ１９は座体内でローラー１３を通り、蓋体２０のネジ孔２８に螺合される（図４参照）。ローラー１３は、出入口１１の左右両側にそれぞれ１つずつ軸支され、ロープ６０（図７参照）の滑動時に摩擦による破損の発生を防止することができる。座体１０内部中央に陥没部１２を設け、同時に、この陥没部１２中央に槽孔１６を形成し、この槽孔１６に中心軸棒１７を嵌入して位置決めすると共に、座体１０の前端部に突出片１５を設け、且つ、この突出片１５の根元位置両側に挿入孔１４をそれぞれ設置する。
【００１１】
図２、図４に示すように、蓋体２０は座体１０と輪郭を合わせて閉じ合わされ、この蓋体２０上に穿通孔２１を設け、さらに座体１０同様に蓋体後端部には出入口２２を形成し、前端部には突出片２３を設ける。前端部にはバックル挿入部２３を設け、２つの槽孔２５を前記バックル挿入部２３後方に開設し、座体１０と蓋体２０を閉じ合わせた後、ネジ１９を下から上へ挿入孔１４に穿通し、槽孔２５に螺合して固定し、位置決め柱体２７（図４参照）を蓋体の特定の位置に設け、穿通孔２１は蓋体上面に突出した管状柱体を備え、この穿通孔２１上に回転つまみ５５及びネジ５６が設置され、このネジ５６は回転つまみ５５に穿通した後ネジ受４０に螺合される。蓋体２０の底面には座体１０同様に陥没部を設け、この陥没部内に穿通孔２１の下端部、位置決め柱体２６及び槽孔２９が設置される。
【００１２】
図２に示すように、回転盤３０は中央に通孔３２を備え、この通孔３２の傍に位置決め孔３１を設け、且つ、通孔３２の周縁部に放射状の突出部３３を設ける。
【００１３】
回転ホイール３５は、上面に中空部３６を備え、この中空部３６の周縁部に単一方向ラチェット３７を設け、底面に穿通孔を備えた中心柱体３９及び放射状の突出部３４（図３参照）を設置し、中心柱体３９の根元付近に段状部３８を設ける。
【００１４】
ネジ受４０は二つの側面上に爪部４１及びバネ固定部４２がそれぞれ設けられ、前記バネ固定部４２に孔を開設し、バネ４３の一端を穿置すると共に、ネジ受４０上端部外側壁面に嵌合平面４４を形成し、ネジ孔４５を上端部に設ける。
【００１５】
組み立て時には、２つのローラー１３をネジ１９により座体１０出入口１１両側のネジ孔１８上に固定し、さらに中心軸棒１７を槽孔１６内に挿入し、回転盤３０、回転ホイール３５に穿通させた後、蓋体２０底面の槽孔２９内に固定し、回転ホイール３５の中心柱体３９を回転盤３０中央の通孔３２に穿置し、同時に、回転ホイール３５の段状部３８を位置決め孔３１に嵌合する。さらに、ネジ受４０の上端部を蓋体２０の穿通孔２１に穿通し、穿通孔２１の外側に回転つまみ５５を設置し、ネジ５６を回転つまみ５５に穿通させた後ネジ受４０上のネジ孔４５に螺合して一体とする。ネジ受４０の上端部に設けた嵌合平面４４が回転つまみ５５底面に設けた対応する非円形槽孔（図には未表示）に嵌入され、回転つまみ５５を回転させると、同時にネジ受４０を回転させることができる。ネジ受４０のバネ固定部４２上に連結されたバネ４３の別の一端は蓋体２０底面の位置決め柱体２７（図４参照）上に固定され、蓋体２０を座体１０上に閉じ合わせ、ネジ１９を下から上に挿入孔１４に穿通して槽孔２５(図４参照)に螺合して固定し、２つの殼体を一体として結合させ、緊張装置１の組み立てが完了する。
【００１６】
図５から図７に示すように、ロープ６０を緊張装置１の出入口１１、２２から穿入し、反時計回りの方向に回転盤３０の突出部３３及び回転ホイール３５の突出部３４に巻きつけた後、出入口１１、２２から穿出する
（図７参照）。回転つまみ５５が回転しないとき（図５参照）、ネジ受４０の爪部４１が回転ホイール３５の単一方向ラチェット３７に当接されるため、回転ホイール３５は単一方向（反時計回り）のみに回動でき、爪部４１が各単一方向ラチェット３７上で摺動し、ロープ６０はＡ端のみから引き出すことができる（図５参照）。Ｂ端から引き出そうとしても、爪部４１が単一方向ラチェット３７上に引っ掛かり、ロープが時計回り方向に回転して引き出されることはないため、緊張装置の滑り止め効果が形成される。回転つまみ５５を殼体の外側で手動で回転させると、爪部４１が上方向へ持ち上がり単一方向ラチェット３７から離脱するため、ロープ６０をＢ端から引き出すことができる（図６参照）。
【００１７】
図８、図９に示すように、本発明の緊張装置１をボートカバー７０上に応用して使用し、ボートカバーで船体７１を覆う際は、ボートカバーの周縁部に複数のベルト６１を縫いつけておき、これらのベルト６１の末端はすべてバックル挿入槽２４が設けられているため、船体７１が運搬台７２で運ばれるとき、運搬台７２上の周辺横棒７３上にロープ６０をくくりつけ、ロープ６０を緊張装置１内部に通し、緊張装置１上のバックル挿入部２３をバックル挿入槽２４に連結し、続いて出口位置のロープ端Ｘを引くと迅速に緊張装置１によりロープを緊張させて固定することができる。このように、ベルト６１がしっかりとボートカバー７０を引っ張り、船体７１が運搬台７２上に載せられて高速で運搬されるときにボートカバーが強風に吹き飛ばされないようにすることができる。
【００１８】
図１０に示すように、本発明の別の応用例においては、別途組み合わせる部材を緊張装置１の前端部にバックル挿入槽２４を結合したものとして設計し、２つの異なる緊張装置１の前端部にそれぞれ結合されたバックル挿入部２３とバックル挿入槽２４を利用して迅速にバックルを結合させることができる。
【実施例２】
【００１９】
図１１から図１３に本発明の実施例２の緊張装置１を示す。この緊張装置１は主に座体１０、蓋体２０、ローラー８０、軸座部８５、回転つまみ９０を含んで成る。
【００２０】
前記座体１０内部には第一陥没部１０１及び第二陥没部１０２が設けられ、前記第一陥没部１０１には前記ローラー８０が収容され、その中央には槽孔１０３が設けられ、前記第二陥没部１０２には前記軸座部８５が収容され、その内部に位置決め孔１０４が設けられる。前記座体１０は下端部の片側にロープ入口溝部１０５a及びロープ出口溝部１０５bがそれぞれ形成され、前記ロープ入口溝部及びロープ出口溝部は前記第一陥没部１０１と第二陥没部１０２に通じており、前記第一陥没部１０１内側には円弧面１０５cが形成される。図中の実施例においては、前記座体１０前端部にバックル挿入部１０６が設けられ、前記バックル挿入部１０６周縁部にネジ孔１０８aが設けられると共に、前記第二陥没部１０２の両側にそれぞれネジ孔１０８bが開設され、各ネジ孔１０８a、１０８bには蓋体２０の各ネジ孔２０８a、２０８bに上から下へ穿通されたネジ１０９が螺合される。前記座体１０は前端部に同様にバックル挿入槽を設けてもよい(図示しない)。
【００２１】
図１２に蓋体内側の立体図を示す。この蓋体２０はその外側輪郭が前記座体１０と同じ形状に作られており、前記蓋体２０内部には同様に第一陥没部２０１及び第二陥没部２０２が設けられ、前記第一陥没部２０１の中央には槽孔２０３が設けられ、前記第二陥没部２０２内には通孔２０４が開設され、前記通孔２０４は蓋体上面に突出した管体２０７(図１１参照)を備えている。前記蓋体２０の内部には同様に第二陥没部２０２に貫通し、且つ前記第一陥没部２０１と通じている２つの溝部２０５a、２０５bが設けられ、前部には突出片２０６が設置され、且つ、この突出片２０６上にネジ孔２０８aが開設され、さらに前記第二陥没部２０２両側にそれぞれネジ孔２０８bが設けられ、前記座体１０と蓋体２０を相互に閉じ合わせた後ネジ止めすることができる。
【００２２】
図１１に示すように、前述の通孔２０４は蓋体上面に突出した管体２０７を備えており、この管体２０７上には回転つまみ９０及びネジ９５が設置され、前記ネジ９５は回転つまみ９０に穿通されて前記軸座部８５上のネジ孔８８に螺合される。前記管体２０７はそのそばにフック部２０９が設置され、バネ９４の一端が前記フック部２０９に固定される。前記ローラー８０は中央に中心孔８１が設けられ、前記中心孔８１内に中心軸棒８２が穿通され、前記中心軸棒８２が槽孔１０３及び槽孔２０３の間に位置決めされる。前記軸座部８５は両側にそれぞれ押さえ板８６が設置され、上端部の外側壁面に嵌合平面８７を形成し、ネジ孔８８が上端部に開設される。前記回転つまみ９０内部の中心には軸孔９１が設けられ、前記軸孔９１内に突出部９２が設置される。バネ９４は前記回転つまみ９０内部に設置され、前記バネ９４の一端が前記回転つまみ９０内の嵌入槽９３（図２及び図４参照）に係止され、他端が前記フック部２０９に固定される。
【００２３】
組み立て時には、前記ローラー８０を前記座体１０の的第一陥没部１０１と蓋体２０の第一陥没部２０１内に設置し、前記ローラー８０の中央に中心軸棒８０２を穿置して前記中心軸棒８０２の二端をそれぞれ前記座体１０と蓋体２０の槽孔１０３、２０３内に嵌置し、位置決めする。同時に、前記軸座部８５を前記座体１０の第二陥没部１０２と蓋体２０の第二陥没部２０２内に設置し、前記軸座部８５の下端部を前記座体１０の位置決め孔１０４内に設置し、上端部を前記蓋体２０の通孔２０４に穿通させ、かつ、管体２０７の表面に突出させて、各ネジ１９を上から下へ蓋体２０のネジ孔２０８a、２０８bに穿入して前記座体１０のネジ孔１０８a、１０８b内に固定する。同時に、前記座体１０の溝部１０５a、１０５bと蓋体２０の溝部２０５a、２０５bが閉じ合わされてロープの入口aと出口bが形成され、さらに回転つまみ９０の軸孔９１を前記軸座部８５の上端部に被せ、軸孔９１内の突出部９２と軸座部８５の嵌合平面８７を相互に嵌合し、回転つまみ９０を回転させると同時に軸座部８５を回転させることができるようにし、かつ、回転つまみ９０内に設けたバネ９４の他端が前記蓋体２０のフック部２０９に係止されているため、回転つまみ９０を回転させた後弾性により元の位置を回復させることができ、さらにネジ９５を回転つまみ９０に穿入させて前記軸座部８５のネジ孔８８に螺合して一体とし、緊張装置１の組み立てが完了する。
【００２４】
図１４、図１５に示すように、ロープ６０を緊張装置１の入口aから穿入し、軸座部８５片側の押さえ板８６を通過させ、逆時計回りの方向にローラー８０に掛け回し、円弧面１０５cを通過させて方向を変え、さらに軸座部８５の他方の側の押さえ板８６を通過させて出口bから穿出させる（図１４参照)。ロープ６０を入口aから引き出そうとすると（図１５の時計回り方向）、軸座部８５がバネ９４の弾性による位置回復の影響を受け、且つ、軸座部８５の押さえ板８６が同時にロープ６０の表面摩擦を受けて牽引され、ロープが時計回りに引かれることにより２つの押さえ板８６の側縁部がロープ６０を押さえ込み、引き動かすことをできなくするため、ロープを時計回りに滑動させて引き出すことはできず、単一方向の滑動防止効果が形成される。
【００２５】
図１６に示すように、回転つまみ９０を殼体の外側から手動で逆時計回りに回転させると、両側の押さえ板８６とロープ６０との接触が解除され、ロープ６０に対する押さえ込みが解除されて、ロープ６０は入口aから引き出すことができるようになる。
【００２６】
上述のように、本発明は確実に発明が意図する目的を達することができ、実用的価値があることは疑いがなく、ここに法に基づき特許を出願するものである。
【図面の簡単な説明】
【００２７】
【図１】本発明の立体外観図である。
【図２】本発明の立体分解図である。
【図３】本発明の側面図である。
【図４】本発明の蓋体内側の立体斜視図である。
【図５】本発明のロープを滑動させる動作を示す上面透視図である。
【図６】本発明のロープを位置決めする動作を示す上面透視図である。
【図７】本発明の実施例１にロープを巻きつけた状態を示す底面透視図である。
【図８】本発明のボートカバーへの応用を示す側面図である。
【図９】本発明のボートカバーへの応用を示す上面図である。
【図１０】本発明の別の応用例を示す立体斜視図である。
【図１１】本発明の実施例２の立体分解図である。
【図１２】本発明の実施例２の蓋体の立体斜視図である。
【図１３】本発明の実施例２の組み立て後の上面図である。
【図１４】本発明の実施例２のロープの掛け回し動作を示す断面図である。
【図１５】本発明の実施例２の軸座部が回転してロープを押さえる動作を示す断面図である。
【図１６】本発明の軸座部が回転してロープを解放する動作を示す断面図である。
【符号の説明】
【００２８】
１        緊張装置
１０      座体
１１      出入口
１２      陥没部
１３      ローラー
１４      挿入孔                
１５      突出片
１６      槽孔                
１７      中心軸棒
１８      ネジ孔                
１９      ネジ
２０      蓋体                
２１      穿通孔
２２      出入口              
２３      バックル挿入部
２４      バックル挿入槽                
２５      槽孔
２７      位置決め柱体
２８      ネジ孔                
２９      槽孔
３０      回転盤                
３１      位置決め孔
３２      通孔                
３３      突出部
３４      突出部                
３５      回転ホイール
３６      中空部              
３７      単一方向ラチェット
３８      段状部                
３９      中心柱体
４０      ネジ受                
４１      爪部
４２      バネ固定部                
４３      バネ
４４      嵌合平面            
４５      ネジ孔
５５      回転つまみ                
５６      ネジ
６０      ロープ                
６１      ベルト
７０      ボートカバー                
７１      船体
７２      運搬台            
７３      周辺横棒
８０      ローラー            
８１      中心孔
８２      中心軸棒            
８５      軸座部
８６      押さえ板              
８７      嵌合平面
８８      ネジ孔
９０      回転つまみ              
９１      軸孔
９２      突出部            
９３      嵌入槽
９４      バネ
９５      ネジ
101          
第一陥没部        
１０２    第二陥没部
１０３    槽孔                
１０４    位置決め孔
１０５a   ロープ入口溝部        
１０５b   ロープ出口溝部
１０５c  
円弧面
１０６    バックル挿入部
１０８a、１０８b      ネジ孔
２０１    第一陥没部          
２０２    第二陥没部
２０３    槽孔                
２０４    通孔
２０５a、２０５b      溝部
２０６    突出片
２０７    管体
２０８a、２０８b      ネジ孔
２０９    フック部
【図１】
2007314243.tif 000003
【図２】
2007314243.tif 000004
【図３】
2007314243.tif 000005
【図４】
2007314243.tif 000006
【図５】
2007314243.tif 000007
【図６】
2007314243.tif 000008
【図７】
2007314243.tif 000009
【図８】
2007314243.tif 000010
【図９】
2007314243.tif 000011
【図１０】
2007314243.tif 000012
【図１１】
2007314243.tif 000013
【図１２】
2007314243.tif 000014
【図１３】
2007314243.tif 000015
【図１４】
2007314243.tif 000016
【図１５】
2007314243.tif 000017
【図１６】
2007314243.tif 000018